(57)【要約】【課題】  遊技場に既に導入されている無線リーダを使用することで、遠隔操作装置による操作来歴の管理システムを非常に安価に導入することができる遊技場の情報管理装置を提供することにある。【解決手段】  遠隔操作装置（リモコン装置６）は、無線リーダ３からの送信要求に応じて、遠隔操作装置であることを表すリモコン識別子ＲＣと、固有のＩＤと、操作スイッチのオンオフ状態とを含む送信データを無線リーダ３へ無線送信する。管理装置４は、無線リーダから取得したＩＤデータがリモコン識別子を有しているか否かを判定し、リモコン識別子を有しているＩＤデータに含まれる複数の操作スイッチのオンオフ状態を判定し、判定結果の別に従って、特定された台番号の遊技台に対し予め定められた制御動作を実行する。【選択図】          図１
2006095183.tif 000002
【特許請求の範囲】
【請求項１】
複数の遊技台が並設された遊技設備と、前記複数の遊技台の各々に対して遠隔的に操作する携帯式の遠隔操作装置と、前記遠隔操作装置による操作を実行するための管理装置とを有する遊技場の情報管理装置において、
予め付与された自己を識別可能とする固有のＩＤを含む送信データを無線送信するＩＤ無線送信手段と、
前記複数の遊技台に対応付けして複数設置されると共に、無線送受信範囲内に前記ＩＤ無線送信手段が１乃至複数ある場合に、前記無線送受信範囲内の全てのＩＤ無線送信手段から送信された全ての送信データを無線受信可能であり、かつ前記管理装置に対してデータ通信可能に接続された無線リーダとを含み、
前記遠隔操作装置は、前記ＩＤ無線送信手段と前記遊技台へ遠隔操作を行うための複数の操作スイッチとを有し、当該遠隔操作装置のＩＤ無線送信手段の制御部は、前記無線リーダからの送信要求に応じて、遠隔操作装置であることを表すリモコン識別子と、前記自己を識別可能とする固有のＩＤと、前記複数の操作スイッチのオンオフ状態とを一緒に含む送信データを前記無線リーダへ無線送信するものであり、
前記無線リーダは、前記無線送受信範囲内の全ての前記ＩＤ無線送信手段又は前記遠隔操作装置から送信された前記送信データを全て無線受信するＩＤ無線受信部と、該ＩＤ無線受信部によって受信された全ての送信データを記憶するための記憶部と、前記記憶部に記憶されている前記全ての送信データをＩＤデータとして前記管理装置に送信する制御部とを有し、
前記管理装置は、前記無線リーダから送信された前記ＩＤデータを受信して前記無線リーダの設置位置に対応して付されたリーダ番号別に記憶するＩＤデータ取得手段と、前記ＩＤデータ取得手段によって取得したＩＤデータが前記遠隔操作装置であることを表すリモコン識別子を有しているか否かを判定し、前記リモコン識別子を有しているＩＤデータを特定する遠隔操作装置ＩＤデータ特定手段と、前記ＩＤデータ取得手段によって取得したＩＤデータのリーダ番号と前記ＩＤとに基づいて、前記遠隔操作装置によって遠隔操作が行われた遊技台の台番号を特定する台番号特定手段と、前記遠隔操作装置ＩＤデータ特定手段によって特定されたＩＤデータに含まれる前記複数の操作スイッチのオンオフ状態を判定し、判定結果の別に従って、前記台番号特定手段で特定された台番号の遊技台に対し予め定められた制御動作を実行する手段からなることを特徴とする遊技場の情報管理装置。
【請求項２】
前記無線リーダは、前記無線送受信範囲が、自己の設置対象の遊技台に隣り合う遊技台までを範囲内に設定されており、前記遠隔操作装置から遠隔操作が行われた場合に、該遠隔操作装置の前記ＩＤ無線送信手段から送信された送信データに含まれる１つのＩＤを複数の前記無線リーダの前記ＩＤ無線受信部が各々受信し、前記複数の無線リーダが前記管理装置に前記１つのＩＤを同時に送信し、前記管理装置が同じＩＤを同時に前記複数の無線リーダから受信した場合に、前記管理装置の前記台番号特定手段は、前記複数の無線リーダの各々の設置対象の遊技台の設置位置の中間位置に相当する遊技台に対して前記遠隔操作が行われたと判定し、前記中間位置に相当する遊技台の台番号と特定することを特徴とする請求項１に記載の遊技台管理装置。
【請求項３】
前記管理装置は、前記遠隔操作装置に設けられた前記ＩＤ無線送信手段のＩＤに対応付けて当該遠隔操作装置を操作する操作者の操作者名を記憶させたＩＤ／操作者名記憶テーブルと、前記複数の操作スイッチのオンオフ状態に対応付けて操作項目名を記憶させた操作項目記憶テーブルと、現在時刻と、前記遠隔操作装置ＩＤデータ特定手段によって特定されたＩＤデータに含まれる前記固有のＩＤに対応する操作者名と、前記複数の操作スイッチのオンオフ状態に対応する操作項目名と、前記台番号特定手段で特定された台番号とを１つのレコードとして操作来歴ファイルに記憶する操作来歴作成手段とを備えたことを特徴とする請求項１又は２に記載の遊技台管理装置。
【発明の詳細な説明】
【技術分野】
【０００１】
本発明は、複数の遊技台が並設された遊技設備と、複数の遊技台の各々を遠隔的に操作する携帯式の遠隔操作装置と、遠隔操作装置による遊技台への操作来歴情報を管理するための管理装置とを有する遊技場の情報管理装置に関する。
【背景技術】
【０００２】
経営分析装置に従業者名（リモコン操作を行う係員名）とリモコンＩＤとを対応付けて記憶させておき、リモコン装置の操作ボタンを操作して赤外線を発射すると、操作項目に予め対応させた所定の操作コード、リモコンＩＤを含む赤外線が出力され、遊技機のパネルを開放する等の操作が遠隔的に行われると共に、遊技機からネットワーク網を介して経営分析装置に遊技機の台番号、リモコンＩＤ、操作コードが送信され、リモコン来歴ファイルに操作イベントの発生毎にリモコン来歴レコードとして格納され、経営分析装置では、各遊技機から収集したリモコン来歴レコードに基づいて、リモコン使用リスト、リモコン使用状況等の画面を作成し、各遊技機のリモコン操作来歴や各係員の操作履歴等、視覚的に容易にリモコン装置の操作状況を把握できるようにした遊技場の情報処理装置が提案されている（例えば、特許文献１参照）。
【０００３】
一方、パチンコ遊技機やスロットマシン等が設置された遊技場において、ＩＤタグ［例えば、ＲＦＩＤ（Ｒａｄｉｏ  Ｆｒｅｑｕｅｎｃｙ  Ｉｄｅｎｔｉｆｉｃａｔｉｏｎ）チップ］から無線送信されたＩＤ（識別情報）を受信する無線リーダを、各遊技機（あるいは遊技台）に対応して設置することが知られている（例えば、特許文献２或いは特許文献３参照）。特許文献２に記載のものでは、遊技制御基板に取り付けられたＩＤタグのＩＤが正規であるかを監視しており、特許文献３に記載のものでは、遊技者が所持する携帯電話機に取り付けられたＩＤタグのＩＤを検出して遊技者を特定している。また、遊技場内に設置された遊技カード発券機に上記無線リーダを設ける一方、従業員の手首に装着するリストバンドに上記ＲＦＩＤチップを内蔵させ、遊技カード発券機にてリストバンドに内蔵されたＲＦＩＤから無線送信されたＩＤを認証に用いる技術事項が提示されている（例えば、特許文献４参照）。
【０００４】
【特許文献１】特開平９−１４０８９４号公報
【特許文献２】特開２０００−２８８２１８号公報（段落００４０、段落００８６−段落００８７、図９及び図１０）
【特許文献３】特開２００３−１０５１９号公報（段落００２８−段落００３２）
【特許文献４】特開２００１−２６２８８５号公報（段落００３６−段落００３８及び段落００５９）
【発明の開示】
【発明が解決しようとする課題】
【０００５】
上記の特許文献１に記載されるようなリモコンによる操作来歴の管理システムを導入しようとする場合、新たに赤外線リモコンとこれに対応した専用の赤外線受信装置が必要となる。一方、上記した特許文献２〜特許文献４に記載されるようなＲＦＩＤ及び無線リーダを使用した管理システムを既に導入した遊技場にあっては、各遊技台に対応してＲＦＩＤを検出できるようになっている。このような遊技場に導入されているＲＦＩＤ及び無線リーダを使用してリモコンによる操作来歴の管理システムを導入しようとする場合、本来の用途（遊技制御基板のＩＤ、携帯電話機のＩＤ、リストバンドのＩＤ等）で検出されるＩＤと、リモコンに用いるＲＦＩＤのＩＤとの両方を無線リーダは受信するので、リモコンに用いるＲＦＩＤのＩＤを区別できるようにする必要がある。
【０００６】
本発明の目的は、遊技場に既に導入されている無線リーダを使用することで、遠隔操作装置による操作来歴の管理システムを非常に安価に導入することができる遊技場の情報管理装置を提供することにある。
【課題を解決するための手段】
【０００７】
請求項１に係る遊技場の情報管理装置は、複数の遊技台が並設された遊技設備と、前記複数の遊技台の各々に対して遠隔的に操作する携帯式の遠隔操作装置と、前記遠隔操作装置による操作を実行するための管理装置とを有するものであって、上記課題を解決するために、予め付与された自己を識別可能とする固有のＩＤを含む送信データを無線送信するＩＤ無線送信手段と、前記複数の遊技台に対応付けして複数設置されると共に、無線送受信範囲内に前記ＩＤ無線送信手段が１乃至複数ある場合に、前記無線送受信範囲内の全てのＩＤ無線送信手段から送信された全ての送信データを無線受信可能であり、かつ前記管理装置に対してデータ通信可能に接続された無線リーダとを含み、前記遠隔操作装置は、前記ＩＤ無線送信手段と前記遊技台へ遠隔操作を行うための複数の操作スイッチとを有し、当該遠隔操作装置のＩＤ無線送信手段の制御部は、前記無線リーダからの送信要求に応じて、遠隔操作装置であることを表すリモコン識別子と、前記自己を識別可能とする固有のＩＤと、前記複数の操作スイッチのオンオフ状態とを一緒に含む送信データを前記無線リーダへ無線送信するものであり、前記無線リーダは、前記無線送受信範囲内の全ての前記ＩＤ無線送信手段又は前記遠隔操作装置から送信された前記送信データを全て無線受信するＩＤ無線受信部と、該ＩＤ無線受信部によって受信された全ての送信データを記憶するための記憶部と、前記記憶部に記憶されている前記全ての送信データをＩＤデータとして前記管理装置に送信する制御部とを有し、前記管理装置は、前記無線リーダから送信された前記ＩＤデータを受信して前記無線リーダの設置位置に対応して付されたリーダ番号別に記憶するＩＤデータ取得手段と、前記ＩＤデータ取得手段によって取得したＩＤデータが前記遠隔操作装置であることを表すリモコン識別子を有しているか否かを判定し、前記リモコン識別子を有しているＩＤデータを特定する遠隔操作装置ＩＤデータ特定手段と、前記ＩＤデータ取得手段によって取得したＩＤデータのリーダ番号と前記ＩＤとに基づいて、前記遠隔操作装置によって遠隔操作が行われた遊技台の台番号を特定する台番号特定手段と、前記遠隔操作装置ＩＤデータ特定手段によって特定されたＩＤデータに含まれる前記複数の操作スイッチのオンオフ状態を判定し、判定結果の別に従って、前記台番号特定手段で特定された台番号の遊技台に対し予め定められた制御動作を実行する手段からなることを特徴とする。
【０００８】
請求項２に係る遊技場の情報管理装置は、請求項１に係る遊技場の情報管理装置において、前記無線リーダは、前記無線送受信範囲が、自己の設置対象の遊技台に隣り合う遊技台までを範囲内に設定されており、前記遠隔操作装置から遠隔操作が行われた場合に、該遠隔操作装置の前記ＩＤ無線送信手段から送信された送信データに含まれる１つのＩＤを複数の前記無線リーダの前記ＩＤ無線受信部が各々受信し、前記複数の無線リーダが前記管理装置に前記１つのＩＤを同時に送信し、前記管理装置が同じＩＤを同時に前記複数の無線リーダから受信した場合に、前記管理装置の前記台番号特定手段は、前記複数の無線リーダの各々の設置対象の遊技台の設置位置の中間位置に相当する遊技台に対して前記遠隔操作が行われたと判定し、前記中間位置に相当する遊技台の台番号と特定することを特徴とするものである。
【０００９】
請求項３に係る遊技場の情報管理装置は、請求項１又は２に係る遊技場の情報管理装置において、前記管理装置は、前記遠隔操作装置に設けられた前記ＩＤ無線送信手段のＩＤに対応付けて当該遠隔操作装置を操作する操作者の操作者名を記憶させたＩＤ／操作者名記憶テーブルと、前記複数の操作スイッチのオンオフ状態に対応付けて操作項目名を記憶させた操作項目記憶テーブルと、現在時刻と、前記遠隔操作装置ＩＤデータ特定手段によって特定されたＩＤデータに含まれる前記固有のＩＤに対応する操作者名と、前記複数の操作スイッチのオンオフ状態に対応する操作項目名と、前記台番号特定手段で特定された台番号とを１つのレコードとして操作来歴ファイルに記憶する操作来歴作成手段とを備えたことを特徴とするものである。
【発明の効果】
【００１０】
請求項１に係る遊技場の情報管理装置によれば、遊技場に既に導入されている無線リーダを使用することで、遠隔操作装置による操作来歴の管理システムを非常に安価に導入することができる。請求項２に係る遊技場の情報管理装置によれば、どの遊技台に対して遠隔操作装置によって遠隔操作が行われたのかを正しく判定することができ、遊技台１台毎に無線リーダ１つを設置しなくてもよく、遊技台に対して設置する無線リーダの設置台数を削減することができる。請求項３に係る遊技場の情報管理装置によれば、遠隔操作装置の操作状況を、即ち、時刻、何番台（台番号）、操作した操作者、操作項目を時系列的に詳細に把握することができる。
【発明を実施するための最良の形態】
【００１１】
以下、本発明の実施の形態を図面を参照して説明する。図１は、本発明の実施形態に係る遊技場の情報管理装置１の要部ブロック図である。ホール内には、複数の遊技台２、２、…が並設されて遊技設備（図１では代表して１つのみ図示しているが、実際には多数の遊技設備がホールに配置されている）が構成されている。また、遊技設備には、複数の遊技台２、２、…に対応付けして複数の無線リーダ３、３、…が設置されている。なお、以下に説明する第１実施形態では、無線リーダ３、３、…は各遊技台２、２、…に対応して１つずつ設けられている。一方、ホールの管理室には管理装置４が配設されている。管理装置４は、伝送路（例えば、ＬＡＮ）５を通じて各無線リーダ３、３、…に接続され、相互にデータの授受が行われるようになっている。
【００１２】
遠隔操作装置（以下、リモコン装置という）６は、複数の遊技台２、２、…の各々を遠隔的に操作するもので、操作者たる従業員（ホールを巡回している係員）が携帯する形式（例えば、従業員の手首に装着するリストバンド式）のものである。ＩＤタグ７は、ＲＦＩＤ（Ｒａｄｉｏ  Ｆｒｅｑｕｅｎｃｙ  Ｉｄｅｎｔｉｆｉｃａｔｉｏｎ）で構成されており、予め付与された自己を識別可能とする固有のＩＤを無線リーダ３へ無線送信するＩＤ無線送信手段に相当するものである。
【００１３】
リモコン装置６は、前記ＩＤタグ７と遊技台２に対して遠隔操作を行うための複数の操作スイッチ（例えば、押しボタン式のスイッチＡ及びスイッチＢ）８とを有する。操作者が、各スイッチＡ，Ｂを操作して操作対象の遊技台にリモコン装置６を近づけると、リモコン装置６のＩＤタグ７は、リモコン装置６であることを表すリモコン識別子と、自己を識別可能とする固有のＩＤと、複数の操作スイッチ８のオンオフ状態（スイッチＡ，Ｂのオンオフ状態）とを一緒に含む送信データを無線リーダ３へ送信する。また、リモコン装置６に設けられたＩＤタグ７以外にもＩＤタグ７′が存在し、ＩＤタグ７以外のＩＤタグ７′は、例えば、特開２０００−２８８２１８号公報に開示されているように遊技機に設けられたもの、特開２００３−１０５１９号公報に開示されているように遊技機の側部の台間機に設けられたもの等である。
【００１４】
無線リーダ３は、無線送受信範囲内にＩＤタグ７並びにＩＤタグ７′が１乃至複数ある場合に、無線送受信範囲内の全てのＩＤタグ７，７′から送信された全ての送信データを無線受信可能である。なお、ここで、リモコン装置６のＩＤタグ７から送信される送信データは、前述したようにリモコン装置６であることを表すリモコン識別子「ＲＣ」と、自己を識別可能とする固有のＩＤと、複数の操作スイッチ８のオンオフ状態（スイッチＡ，Ｂのオンオフ状態）からなるものである。また、ＩＤタグ７以外のＩＤタグ７′から送信される送信データは、自己を識別可能とする固有のＩＤのみである。
【００１５】
リモコン装置６のＩＤタグ７から無線リーダ３へ送信される送信データの構成を図１に示している。本実施形態では、送信データは６文字のデータで構成されており、先頭の２文字分がリモコン装置６であることを表すリモコン識別子「ＲＣ」、リモコン識別子「ＲＣ」の後の３文字分が自己を識別可能とする固有のＩＤ、例えば、「１２３」、最後の１文字分が複数の操作スイッチ８のオンオフ状態である。最後の１文字分の具体的な内容は、「０」の場合はスイッチＡがオフかつスイッチＢがオフで操作内容は「制御動作なし」であり、「１」の場合はスイッチＡがオフかつスイッチＢがオンで操作内容は「扉開放」であり、「２」の場合はスイッチＡがオンかつスイッチＢがオフで操作内容は「ラッキーナンバーである旨の店内放送」であり、「３」の場合はスイッチＡがオンかつスイッチＢがオンで操作内容は「打止」である。
【００１６】
また、ＩＤタグ７以外のＩＤタグ７′から送信される送信データは、自己を識別可能とする固有のＩＤのみであり、本実施形態では、例えば、「Ｐ０１００１」や「Ｑ０１００９」のように６文字のデータで構成されている。
【００１７】
管理装置４は、従来の管理装置と同一であり、詳細な説明は省略する。管理装置４は、ＣＰＵ、ＲＯＭ及びＲＡＭよりなるメモリ、通信インタフェースを備えた制御部、ＣＲＴ或いは液晶パネル等からなる表示画面を有する表示装置、操作入力のためのキーボード装置及びマウスで構成された手動入力部、プリンタ、音声合成によって店内放送を行うための店内放送装置及びデータ記憶用の記憶装置等を含んで構成されている。管理装置４はホールの遊技設備に設置された多数の遊技台２、２、…に対して設けられた無線リーダ３、３、…から必要なデータ（後述するＩＤデータ、ＩＤなしデータ等）を受信し、後述する各遊技台へのリモコン装置６による操作来歴を特定し、特定した遊技台に対して操作内容に応じて予め定めた制御動作を実行する。例えば、遊技機の扉を開放したり、店内放送装置を介して遊技台の遊技状態（例えば、ラッキーナンバーである旨）を店内放送したり、遊技台を打止にしたりする。
【００１８】
管理装置４のメモリには、リモコン装置６に設けられたＩＤタグ７のＩＤに対応付けて当該リモコン装置６を操作する操作者の氏名を記憶させたＩＤ／操作者名記憶テーブルが格納されている。すなわち、ＩＤ／操作者名記憶テーブルは、どのリモコン装置６をどの従業員が使用するかを登録しておくためのもので、リモコン装置６毎に１つのＩＤレコードが作成されてＩＤ／操作者名記憶テーブルに格納される。図２は、管理装置４のメモリに設けられたＩＤ／操作者名記憶テーブルの一態様を示す図である。この例では、ＩＤ「１００」のリモコン装置は「鈴木」なる従業員（操作者）が使用し、ＩＤ「１０１」のリモコン装置は「柴田」なる従業員（操作者）が使用し、ＩＤ「１０２」のリモコン装置は「後藤」なる従業員（操作者）が使用することを示している。
【００１９】
また、管理装置４のメモリには、リモコン装置６の操作スイッチ８のオンオフ状態に対応付けて操作項目名を記憶させた操作項目名記憶テーブルが格納されている。図３は、管理装置４のメモリに設けられた操作項目名記憶テーブルの一態様を示す図である。この例では、操作スイッチ８の操作内容が「０」では「制御動作なし」であり、操作内容が「１」では「扉開放」であり、操作内容が「２」では「ラッキーナンバーの店内放送」であり、操作内容が「３」では「打止」であることを示しており、このようにリモコン装置６による操作内容に対応した管理装置４の制御動作内容としての操作項目名が記憶されている。
【００２０】
また、管理装置４のメモリには、リモコン装置６による操作来歴を操作毎に操作来歴レコードとして格納する操作来歴ファイルが作成される。すなわち、リモコン装置６が従業員によって操作されると、各操作毎に１つの操作来歴レコードが作成されて時系列的に操作来歴ファイルに格納される。図５は、管理装置４のメモリに作成される操作来歴ファイルを示す図である。操作来歴ファイルの１つの操作来歴レコードにおけるデータは、現在時刻（リモコン装置６を従業員が操作したことを管理装置が検知した時刻）、後述の台番号特定手段で特定された台番号（遊技台を識別するための番号）、操作者名（リモコン装置６に設けられたＩＤタグ７のＩＤに対応付けられた操作者名）、操作項目名（操作スイッチ８のオンオフ状態に対応付けられた操作項目名）、よりなる。
【００２１】
管理装置４は、無線リーダ３から送信されたＩＤデータを受信して無線リーダ３の設置位置に対応して付されたリーダ番号別に記憶するＩＤデータ取得手段と、ＩＤデータ取得手段によって取得したＩＤデータがリモコン装置６であることを表すリモコン識別子を有しているか否かを判定し、リモコン識別子を有しているＩＤデータを特定する遠隔操作装置ＩＤデータ特定手段と、ＩＤデータ取得手段によって取得したＩＤデータのリーダ番号とＩＤとに基づいて、リモコン装置６によって遠隔操作が行われた遊技台の台番号を特定する台番号特定手段と、遠隔操作装置ＩＤデータ特定手段によって特定されたＩＤデータに含まれる操作スイッチ８のオンオフ状態を判定し、判定結果の別に従って、台番号特定手段で特定された台番号の遊技台に対し予め定められた制御動作を実行する手段とを備えている。
【００２２】
図５は、リモコン装置６に設けられたＩＤタグ７及び遊技台２に設けられた無線リーダ３のブロック図である。まず、ＩＤタグ７は、無線リーダ３との間で無線による電源を発生させるための電波の受信と無線リーダ３に対して必要データの送信を行うためのアンテナ９、データを搬送波に乗せて送信を行うための無線通信部１０、受信した電波を基に回路電源を発生させる電源部１１、通信内容の制御を行う制御部１２、固有のＩＤが格納されている記憶部１３を備えている。リモコン装置６に設けられた操作スイッチ８（スイッチＡ、スイッチＢ）は、制御部１２に接続され、操作スイッチ８のオンオフ状態が制御部１２に入力されるように構成されている。
【００２３】
無線リーダ３は、ＩＤタグ７との間で無線による電源を発生させるための電波の送信とＩＤタグ７から送信された送信データの受信を行うためのアンテナ１４、搬送波の生成や受信した送信データを取り込むための無線通信部（請求項１に記載の無線受信部）１５、受信したＩＤをＩＤデータとして管理装置４に送信するための制御部１６、無線リーダ３の自己の識別情報が格納記憶されると共に、受信した送信データや処理によって作成したＩＤデータを記憶するための記憶部（ＲＯＭ及びＲＡＭ）１７、管理装置４との間でデータ通信を行うための通信インターフェース等で構成された有線通信部１８、電源部１９を備えている。
【００２４】
無線リーダ３とリモコン装置６のＲＦＩＤ７との通信手順は次の通りである。無線リーダ３のアンテナ１４から電源発生のための電波を送信する。リモコン装置６に設けられたＩＤタグ７のアンテナ９が無線リーダ３から送られた電波を受信する。アンテナ９の共振作用により電源部１１にて起電力が発生し、回路が起動する。制御部１２は、記憶部１３からＩＤを読み出し、操作スイッチ８のオンオフ状態を入力し、リモコン識別子「ＲＣ」とＩＤと操作スイッチ８のオンオフ状態（スイッチＡ，Ｂのオンオフ状態）とからなる送信データ（６文字）を作成し、作成した送信データを無線通信部１０に出力する。無線通信部１０は搬送波に送信データを乗せてアンテナ９から無線リーダ３に送信する。無線リーダ３は、アンテナ１４で送信データを受信し、無線通信部１５を通じて受信した送信データを取り込む。無線リーダ３の制御部１６は、取り込んだ送信データを記憶部１７に記憶する。
【００２５】
図６は、各遊技台に無線リーダを１つずつ設置した第１実施形態の遊技設備の平面図であり、図７は、図６において遊技台に対応して設置された各無線リーダによって受信された送信データを示す図である。各遊技台には各々台番号が決められている。リモコン装置６による遊技台２への操作は、操作スイッチ８のスイッチＡ及びスイッチＢをオンオフし、オンオフ状態を無線リーダ３に送信する。リモコン装置６による遊技台２への操作が行われた場合、リモコン装置６のＩＤを含む送信データが無線リーダ３により受信される。無線リーダ３は、送信データを受信すると、受信した送信データを記憶すると共に管理装置４に当該送信データを送信する。なお、この第１実施形態では、無線リーダＡ、Ｂ、Ｃ、Ｄ、Ｅ…は各遊技台、１番台、２番台、３番台、４番台、５番台…に対応して１つずつ設けられている。管理装置４は、各無線リーダ３を１つ毎に識別可能とするべく台番号に相当してリーダ番号を付与する。第１実施形態においては、１台の遊技台に対して無線リーダ３は１つであるので、台番号をリーダ番号としてそのまま用いる。
【００２６】
図５において、無線リーダ３の制御部１６は、管理装置４からの送信要求指令があると、記憶部１７に記憶されている全ての送信データをＩＤデータとして有線通信部１８を介して管理装置４に送信する。管理装置４は、送信要求指令した無線リーダ３から送られたＩＤデータを受信すると、該ＩＤデータを記憶し、無線リーダ３のリーダ番号から台番号を特定する。したがって、台番号の遊技台が、リモコン装置６によってどのような操作を受けたのかを特定することができる。例えば、図６の３番台に対応した無線リーダ「Ｃ」からＩＤデータとして「ＲＣ１００１」が送られたのであれば、３番台は、「鈴木」なる従業員によって「扉開放」が指示されたことが認識できる。
【００２７】
以上に述べた無線リーダ３と管理装置４とによるリモコン装置６のＩＤタグ７からの無線送信による送信データに応じたリモコン装置６による操作来歴に関する処理を説明する。第１実施形態においては、図６に示すように、遊技台１台毎に無線リーダがあり、無線リーダの無線通信範囲が狭く、無線リーダが設置された遊技台に１台のみを無線通信範囲としたものである。従って、無線リーダが受信する送信データは、既存のシステムに付随するＩＤタグ７′による送信データ（ＩＤのみ）と、リモコン装置６のＩＤタグ７による（以下、リモコン装置による送信データという）送信データ（内容は図１参照）との２種類となる。
【００２８】
従って、無線リーダ３が受信する送信データは１つに限らず複数となる。なお、無線リーダ３とＩＤ受信範囲内に存在する全てのリモコン装置６並びに既存システムのＩＤタグ７′とのアクセス方式は、種々考えられるが、例えば、ＩＤ受信範囲内にリモコン装置６並びに既存システムのＩＤタグ７′の２つが存在する場合、無線リーダ３は、最初にＩＤ送信要求をＩＤ受信範囲内に存在する全てのリモコン装置６並びにＩＤタグ７′に対して送信する。これに応じて、ＩＤ受信範囲内に存在する全てのリモコン装置６並びにＩＤタグ７′が自己の送信データを同時に送信する。このとき、無線リーダ３に最初にリモコン装置６による送信データ「ＲＣ１００１」が受信されたものとすると、次に、無線リーダ３は、ＩＤ送信要求を「ＲＣ１００１」以外という条件付きでＩＤ受信範囲内に存在するもう１つのＩＤタグ７′に対して送信する。これに応じて、ＩＤ受信範囲内に存在する残る１つのＩＤタグ７′が自己の送信データ（ＩＤのみ）を送信する。このとき、無線リーダ３に送信データ「Ｐ０１００１」が受信されたものとすると、次に、無線リーダ３は、ＩＤ送信要求を「ＲＣ１００１」、「Ｐ０１００１」以外という条件付きでＩＤ受信範囲内に存在する（実際は存在しない）リモコン装置６並びにＩＤタグ７′に対して送信する。このとき、無線リーダ３に送信データが受信されなければ、ＩＤ受信範囲内に存在する全てのリモコン装置６並びに既存システムのＩＤタグ７′の送信データが受信されたものとみなし、送信データの受信を終了する。
【００２９】
図１０は、無線リーダ３の記憶部１７に設定されている送信データの記憶部を示す図である。送信データの記憶部には今回受信された複数の送信データが順番に記憶される。この実施形態では、送信データの記憶部は６個設けられている。なお、６個の送信データの記憶部をＭ（１）〜Ｍ（６）で表すものとする。
【００３０】
図１１は、第１実施形態において無線リーダ３の制御部１６が実行する送信データ検知／送信処理のフローチャートである。無線リーダ３の制御部１６は、該処理を開始すると、まず、送信データを受信するタイミングであるか否かを判断する（ステップＡ０１）。ここで、送信データを受信するタイミングとは、予め定められた受信タイミングであり、例えば、０．５秒毎に送信データの受信処理を行うものとする。送信データを受信するタイミングでなければステップＡ１０にジャンプする。
【００３１】
一方、送信データを受信するタイミングである場合、ステップＡ０２に進み、受信バッファを０クリアし（ステップＡ０２）、送信データの記憶部Ｍ（１）〜Ｍ（６）の内容を全て０クリアする（ステップＡ０３）。次いで、今回送信データの書込場所を指定するためにポインタＰ１に初期値「１」をセットし（ステップＡ０４）、ステップＡ０５に進んで受信バッファにリモコン装置６による送信データ並びに既存システムのＩＤタグ７′による送信データを受信する（ステップＡ０５）。
【００３２】
店員が携帯しているリモコン装置６がＩＤ受信範囲内にある場合、当該無線リーダのＩＤ受信範囲内に既存システムのＩＤタグ７′が存在する場合、無線リーダ３はこれらから送信される送信データを受信することになる。例えば、３番台の遊技台で「ラッキーナンバーによる遊技状態」であることを認めた場合、店員がリモコン装置６の操作スイッチ８のスイッチＡをオンかつスイッチＢをオフした状態で、リモコン装置６を３番台（図６参照）に近づける。すなわち、リモコン装置６から送信された送信データが当該無線リーダの無線通信部１５により無線受信されて受信バッファに取り込まれる。一方、当該無線リーダのＩＤ受信範囲内にリモコン装置６又は既存システムのＩＤタグ７′が存在しない場合、ステップＡ０５において何も受信されないため、受信バッファに取り込まれる値はなく、受信バッファは０クリアされているままである。
【００３３】
ステップＡ０５で送信データの受信処理を行うと、ステップＡ０６に進み、受信バッファの内容を図１０のポインタＰ１の値で指定される送信データの記憶部Ｍ（Ｐ１）に記憶する（ステップＡ０６）。次いで、ポインタＰ１の値を＋１し（ステップＡ０７）、アップしたポインタＰ１の値が記憶部の個数６を超えているか否か判定し（ステップＡ０８）、ポインタＰ１の値が記憶部の個数６を超えていなければ、ステップＡ０５に戻り、先に説明したアクセス方式により、送信データの受信を行う。無線リーダ３の制御部１６は、ポインタＰ１の値が記憶部の個数６を超えるまで、ステップＡ０５、ステップＡ０６、ステップＡ０７、ステップＡ０８を偽と判定する処理ループを繰り返す。したがって、図１０の送信データの記憶部Ｍ（１）〜Ｍ（６）の全てに受信による送信データが記憶される。なお、ポインタＰ１の値のときステップＡ０５にて送信データが受信されない場合、送信データの記憶部Ｍ（Ｐ１）には、データなしを表すデータ「０」が記憶される。
【００３４】
ポインタＰ１の値が記憶部の個数６を超えると、送信データの受信が完了となり、ステップＡ０８を真と判定し、今回の送信データ検知／送信処理を終了する。一例をあげると、図６の「３番台」の遊技台に対応して設置された無線リーダＣでは、記憶部Ｍ（１）に「リモコン装置６の送信データ」、記憶部Ｍ（２）に「既存システムのＩＤタグ７′の送信データ」、記憶部Ｍ（３）〜記憶部Ｍ（６）にはデータなしを表すデータ「０」が記憶される。
【００３５】
一方、ステップＡ０１において、送信データを受信するタイミングでなければステップＡ１０にジャンプし、管理装置４からＩＤデータ送信要求指令が送られているか否かを判断する（ステップＡ１０）。管理装置４からＩＤデータ送信要求指令が送られていない場合、制御部１６は、今回の送信データ検知／送信処理を終了する。一方、管理装置４からＩＤデータ送信要求指令が送られてきている場合、制御部１６は、送信データの記憶部Ｍ（１）〜Ｍ（６）の内容を送信バッファにセットし（ステップＡ１１）（図１８参照）、送信バッファにセットしたＩＤデータを管理装置４に送信し（ステップＡ１２）、今回の送信データ検知／送信処理を終了する。
【００３６】
無線リーダ３は、管理装置４に対して送信するＩＤデータは６個分（送信データとして６個分の意味）の大きさを有する１つの文字列として送信する。図１８は、無線リーダ３から管理装置４に対して送信されるＩＤデータの具体例である。図１８では、ＩＤデータはリモコン装置６によって送信された１つの送信データと、既存のシステムのＩＤタグ７′によって送信された１つの送信データとを含んでいること示している。なお、データナシは、送信データなし（＝「０」）を表している。
【００３７】
次に、第１実施形態において、管理装置４のＣＰＵが実行する無線リーダ３からのＩＤデータ送信に応じた処理について説明する。図１２は、第１実施形態において管理装置４の制御部のＣＰＵが実行する無線リーダ３からのＩＤデータ送信に応じた処理のメインルーチンを示すフローチャートである。当該処理のメインルーチンを開始すると、ＣＰＵは、まず、無線リーダとの通信タイミングであるか否かを判断する（ステップＳ０１）。ここで、無線リーダとの通信タイミングとは、予め設定された通信タイミングであり、無線リーダ３が送信データを０．５秒毎に受信していることに基づき、例えば、０．５秒毎に定められているものとする。無線リーダとの通信タイミングでなければ、ステップＳ０１を偽と判定する処理を繰り返す。
【００３８】
一方、無線リーダとの通信タイミングである場合、ＣＰＵは、ステップＳ０１を真と判定し、全無線リーダとの通信処理を行い（ステップＳ０２）、全無線リーダから送信されたＩＤデータをリーダ番号毎に記憶する（図１９参照）。次いで、ＣＰＵは、今回リモコンデータＤ（１）〜Ｄ（Ｎ）を前回リモコンデータＢ（１）〜Ｂ（Ｎ）に転送し（ステップＳ０３）（図２０〜図２１参照）、今回リモコンデータＤ（１）〜Ｄ（Ｎ）を０クリアする（ステップＳ０４）。次いで、ＣＰＵはリモコンのデータ検出処理を行い（ステップＳ０５）、図１９に示す受信データファイルにおけるＩＤデータからリモコン装置６による送信データを順に検出して今回リモコンデータＤ（１）〜Ｄ（Ｎ）を作成する（図２１参照）。次に、新たな操作内容の検出処理を行い（ステップＳ０６）、新たにリモコン装置６によって行われた操作内容を検出し、ステップＳ０７に進み、操作来歴ファイルデータの記憶処理を行い、現在時刻、リモコン操作対象となった遊技台の位置を特定するために定められた台番号、リモコン装置６のＩＤに対応する操作者名、操作内容に対応する操作項目名を１つのレコードとして操作来歴ファイルに格納し、リモコン装置６の操作スイッチのオンオフ状態を判定し、判定結果の別に従って、特定された台番号の遊技台に対し予め定められた制御動作を実行する（ステップＳ０７）。例えば、操作内容が「２」であれば、「何番台、ラッキーナンバー、スタート」と音声合成で、店内放送する。操作来歴ファイルのデータの記憶処理を終えるとステップＳ０１に戻る。ＣＰＵは、以上に述べた処理ルーチンを繰り返す。
【００３９】
図１３は、第１実施形態において管理装置４のＣＰＵが実行する全無線リーダとの通信処理のサブルーチンを示すフローチャートである。なお、全無線リーダとの通信処理は、管理装置４がポーリングにて、各無線リーダが受信して記憶したＩＤデータを受信し、リーダ番号に対応付けしてＩＤデータを記憶する処理である。全無線リーダとの通信処理を開始すると、まず、ＣＰＵは、無線リーダを指定するためにリーダ番号レジスタＲ１に無線リーダの先頭のリーダ番号をセットする（ステップＳ１１）。
【００４０】
第１実施形態においては、１台の遊技台に対して１台の無線リーダが対応付けられているので、遊技台の台番号を無線リーダのリーダ番号としてそのまま用いる。なお、本実施形態では、無線リーダに付与されたリーダ番号は１番（台番号００１）〜Ｎ番（台番号Ｎ）まであるものとする。なお、本実施形態ではリーダ番号の先頭番号は「００１」である。
【００４１】
次いで、ＣＰＵは、無線リーダのリーダ番号と受信したＩＤデータの書き込みレコードを指定するためのポインタＱ１に初期値「１」をセットし（ステップＳ１２）、ステップＳ１３に進む。ステップＳ１３に進むと、ＣＰＵは、Ｒ１に記憶したリーダ番号の無線リーダにＩＤ送信要求指令を出力し（ステップＳ１３）、Ｒ１番の無線リーダから送信データ（ＩＤデータ）が送られてきたか否かを判定する（ステップＳ１４）。
【００４２】
ＣＰＵは、Ｒ１番の無線リーダからＩＤデータが送られてこない場合、ステップＳ１４を偽と判定してステップＳ１３に戻る。ＩＤ送信要求指令に応じてＲ１番の無線リーダからＩＤデータが送られてくると、ＣＰＵは、ステップＳ１４を真と判定し、ステップＳ１５に進み、送られて来たＩＤデータを受信し（ステップＳ１５）、ステップＳ１６にて、受信データレコードを生成する（ステップＳ１６）。次いで、受信したＩＤデータを生成レコードに記憶し（ステップＳ１７）、リーダ番号レジスタＲ１に記憶されたリーダ番号を生成レコードに記憶し（ステップＳ１８）、生成レコードを受信データファイルＪＤのポインタＱ１の値で指定されるレコードに格納し（ステップＳ１９）、ステップＳ２０に進む。
【００４３】
図１９は、管理装置４のメモリに設定されているリーダ番号００１（先頭番号）〜リーダ番号Ｎ（最終番号）までの無線リーダから今回送信されたＩＤデータとリーダ番号とを対応付けて格納した受信データファイルＪＤを示す図である。ＩＤデータは、図１８に示した無線リーダ３から管理装置４に送信するＩＤデータと同じ形式であり、６個分（送信データとして６個分の意味）の大きさを有する１つの文字列として記憶される。なお、本実施形態の場合、１つの送信データは、例えば、「ＲＣ１００１」（リモコン装置６の場合）、「Ｐ０１００１」（既存システムのＩＤタグ７′の場合）のように全て６文字のデータで構成されている。
【００４４】
ステップＳ２０に進むと、リーダ番号と受信したＩＤデータの書き込みレコードを指定するポインタＱ１の値を＋１し（ステップＳ２０）、リーダ番号レジスタＲ１に記憶されたリーダ番号を１つアップする（ステップＳ２１）。次いで、更新アップしたリーダ番号レジスタＲ１のリーダ番号が無線リーダの最終番号（この実施形態ではＮ）を超えたか否かを判定し（ステップＳ２２）、リーダ番号レジスタＲ１のリーダ番号が最終番号Ｎを超えていなければ、ステップＳ１３に戻り、更新アップしたリーダ番号で指定される次の無線リーダに対して、上記と同様の処理を行う。
【００４５】
ＣＰＵは、以上の処理ルーチンを繰り返すことで、先頭番号（００１）から最終番号（Ｎ番）までのＩＤデータを順次受信してリーダ番号と共に受信データファイルＪＤに格納していく。リーダ番号レジスタＲ１のリーダ番号が最終番号Ｎを超えると、ステップＳ２２を真と判定し、当該サブルーチンを抜けて図１２のメインルーチンに戻り、ステップＳ０３、ステップＳ０４の処理を実行し、ステップＳ０５のリモコンのデータ検出処理に移行する。
【００４６】
図１４は、第１実施形態において管理装置４のＣＰＵが実行するリモコンのデータ検出処理のサブルーチンを示すフローチャートである。この処理において、各無線リーダから送信された受信データ（リーダ番号及びＩＤデータ）からリモコン装置６による送信データのみを順に検出して今回リモコンデータを作成する（図２１参照）。リモコンのデータ検出処理を開始すると、まず、ＣＰＵは、受信データファイルの読み出しレコードを指定するためのポインタＱ１に初期値「１」をセットし（ステップＳ３１）、今回リモコンデータファイルの書き込みレコードを指定するためのポインタＱ２に初期値「１」をセットし（ステップＳ３２）、ステップＳ３３に進み、ポインタＱ１の値で指定される受信データファイルのレコードＪＤ（Ｑ１）を読み出す（ステップＳ３３）。
【００４７】
次いで、ＣＰＵは、今回リモコンデータのレコードを生成し（ステップＳ３４）、生成したレコードを０クリアし（ステップＳ３５）、読み出したレコードＪＤ（Ｑ１）のリーダ番号を生成レコードに記憶する（ステップＳ３６）。次に、ＣＰＵは、送信データ６個分のＩＤデータにおける１番目の送信データ、２番目の送信データ、・・・６番目の送信データを順番に指定するための順番レジスタｉに初期値「１」をセットし（ステップＳ３７）、ステップＳ３８に進み、ＩＤデータのｉ番目の送信データをレジスタＩＤ１に読み出す（ステップＳ３８）。
【００４８】
図１９に示すように、受信データファイルの１つのレコードにおけるＩＤデータは、送信データ６個分の大きさを有する１つの文字列として記憶されている。また、送信データの内容は、「０」であれば「データなし」、リモコン装置による送信データの場合であれば、送信データの先頭２文字が「ＲＣ」、既存システムのＩＤのうちのいずれか１つとなる。また、ＩＤデータの中にリモコン装置による送信データが１つ見つかる場合、このＩＤデータの中には他のリモコン装置による送信データはないものとして扱う。この理由は、異なる２つ以上のリモコン装置６によって１つの遊技台に対して同時にリモコン操作を行うことはあり得ないからである。
【００４９】
ステップＳ３８を行うと、ＣＰＵは、レジスタＩＤ１に記憶された送信データの先頭２文字が「ＲＣ」であるか否か判定する（ステップＳ３９）。即ち、レジスタＩＤ１に記憶された送信データがリモコン装置によって送信されたものであるか否かを判定する。レジスタＩＤ１に記憶された送信データの先頭２文字が「ＲＣ」でない場合、レジスタＩＤ１に記憶された送信データは、「データなし」あるいは既存システムのＩＤタグ７′によって送信されたＩＤ（例えば、Ｐ０１００１等）であることになる。この場合、ステップＳ３９を偽と判定し、順番レジスタｉの値を１つアップし（ステップＳ４０）、アップした順番レジスタｉの値が送信データの記憶数「６」を超えているか否かを判定し（ステップＳ４１）、順番レジスタｉの値が送信データの記憶数「６」を超えていなければ、ステップＳ４１を偽と判定してステップＳ３８に戻り、ＩＤデータのｉ番目の（即ち、次の）送信データをレジスタＩＤ１に読み出し（ステップＳ３８）、レジスタＩＤ１に記憶された送信データがリモコン装置によって送信されたものであるか否かを判定する。
【００５０】
ＩＤデータの中にリモコン装置による送信データが１つも存在しない場合には、ステップＳ３８、ステップＳ３９を偽と判定、ステップＳ４０、ステップＳ４１を偽と判定する処理ルーチンを繰り返し、ＩＤデータの６番目の送信データについてステップＳ３９を偽と判定し、ステップＳ４０で順番レジスタｉの値を１つアップして「７」とすると、ステップＳ４１を真と判定してステップＳ４３に進むことになる。
【００５１】
一方、レジスタＩＤ１に記憶された送信データの先頭２文字が「ＲＣ」である場合、レジスタＩＤ１に記憶された送信データがリモコン装置によって送信されたものであることになり、ステップＳ３９を真と判定し、ステップＳ４２に進む。ステップＳ４２では、レジスタＩＤ１に記憶された送信データの末尾が「０（制御動作なし）」であるか否かを判定する（ステップＳ４２）。送信データの末尾が「０（制御動作なし）」である場合は、スイッチＡ及びスイッチＢが操作されていないリモコン装置が検出されたこと示しているので（即ち、リモコン装置による操作は行われていない）、この送信データを無視する。従って、ステップＳ３９で「ＲＣ」が検出されなかった場合と同様にステップＳ４０に進む。
【００５２】
一方、ステップＳ４２にて、送信データの末尾が「０（制御動作なし）」ではない場合、リモコン装置による新たな操作内容は、今回送信データの末尾が「１（扉開放）」、「２（ラッキーナンバーの店内放送）」、「３（打止）」の何れかとなる。ＣＰＵは、ステップＳ４２を偽と判定し、ステップＳ４３に進む。ステップＳ４３に進むと、レジスタＩＤ１に記憶された送信データを生成レコードに記憶し（ステップＳ４３）、ステップＳ４４に進む。即ち、読み出したＩＤデータの中にリモコン装置による送信データが１つ存在する場合には、このＩＤデータの中には他のリモコン装置による送信データはないので、ステップＳ４４に進む。
【００５３】
ステップＳ４４に進むと、ＣＰＵは、生成レコードを今回リモコンデータファイルＤのポインタＱ２の値で指定されるレコードに格納する（ステップＳ４４）。これにより、リモコン装置による操作が行われた場合、リモコン操作を受信した無線リーダのリーダ番号と無線リーダの送信データが今回リモコンデータファイルＤに記憶される。また、リモコン装置による操作が行われなかった場合には、無線リーダのリーダ番号と「データなし」を表す値「０」が今回リモコンデータファイルＤに記憶される。
【００５４】
ステップＳ４４を行うと、今回リモコンデータファイルの書き込みレコードを指定するポインタＱ２の値を＋１し（ステップＳ４５）、ステップＳ４６に進み、読み出したレコードＪＤ（Ｑ１）のリーダ番号が最終番号Ｎであるか否かを判定する（ステップＳ４６）。リーダ番号が最終番号Ｎでなければ、ステップＳ４６を偽と判定し、読み出しレコードを指定するポインタＱ１の値を＋１し（ステップＳ４７）、ステップＳ３３に戻り、受信データファイルからアップしたポインタＱ１の値で指定される次のレコードＪＤ（Ｑ１）を読み出す。
【００５５】
以上に述べた処理ルーチンを繰り返し、受信データファイルの全レコードについてリモコン装置による送信データが含まれているかを確認して今回リモコンデータファイルＤを更新する。そして、最終番号Ｎについての受信データファイルのレコードを確認し終えると、ステップＳ４６にて、リーダ番号が最終番号Ｎであると判定し、即ち、ステップＳ４６を真と判定し、当該サブルーチンを抜けてメインルーチンに戻り、ステップＳ０６の新たな操作内容の検出処理に移行する。
【００５６】
図１５は、第１実施形態において管理装置４のＣＰＵが実行する新たな操作内容の検出処理のサブルーチンを示すフローチャートである。新たな操作内容の検出処理において更新した今回リモコンデータと前回リモコンデータとから、リモコン装置により新たに操作内容が指示された無線リーダを検出し、この無線リーダについて操作内容検出ファイルＲＭを作成する。
【００５７】
新たな操作内容の検出処理を開始すると、まず、ＣＰＵは、前回リモコンデータファイル並びに今回リモコンデータファイルの読み出しレコードを指定するためのポインタＱ２に初期値「１」をセットし（ステップＳ５１）、操作内容検出ファイルＲＭの件数をカウントするカウンタであって、操作内容検出ファイルＲＭの書き込みレコードを指定するためのポインタを兼ねる件数カウンタＣを０クリアし（ステップＳ５２）、ステップＳ５３に進み、ポインタＱ２の値で指定される前回リモコンデータファイルのレコードＢ（Ｑ２）から前回送信データをレジスタＸ１に読み出す（ステップＳ５３）。
【００５８】
次いで、レジスタＸ１に読み出した前回送信データが「０（データなし）」であるか否かを判別する（ステップＳ５４）。前回送信データが「０（データなし）」ではない場合、ステップＳ５４を偽と判定し、即ち、送信データが記憶されている場合、当該無線リーダにより前回はリモコン装置による操作が検出されていたことになるので、今回新たな操作内容が検出された可能性はないと判定し、ステップＳ６２にジャンプする。
【００５９】
ステップＳ６２にジャンプする場合、ＣＰＵは、読み出した前回リモコンデータファイルのリーダ番号が無線リーダの最終番号Ｎであるか否かを判定し（ステップＳ６２）、リーダ番号が最終番号Ｎでなければ、ポインタＱ２の値を＋１し（ステップＳ６３）、ステップＳ５３に戻り、更新アップしたポインタＱ２で指定される前回リモコンデータファイルの次のレコードを読み出す。
【００６０】
一方、レジスタＸ１に読み出した前回送信データが「０（データなし）」である場合、ステップＳ５４を真と判定し、即ち、データなしが記憶されている場合、前回はリモコン装置による操作内容が検出されていなかったことになるので、今回新たな操作内容が検出された可能性があると判定し、ステップＳ５５に進む。次に、ＣＰＵは、ポインタＱ２の値で指定される今回リモコンデータファイルのレコードＤ（Ｑ２）から今回送信データをレジスタＸ２に読み出す（ステップＳ５５）。
【００６１】
次いで、レジスタＸ２に読み出した今回送信データが「０（データなし）」であるか否かを判別する（ステップＳ５６）。レジスタＸ２に読み出した今回送信データが「０（データなし）」である場合、今回はリモコン装置による操作内容が検出されていなかったことになるので、ステップＳ５６を真と判定してステップＳ６２にジャンプする。
【００６２】
一方、ステップＳ５６にて、レジスタＸ２に読み出した今回送信データが「０（データなし）」ではない場合、ステップＳ５６を偽と判定してステップＳ５７に進む。この場合には、当該無線リーダについて、前回リモコンデータがデータなしを表すデータ「０」であり、かつ今回リモコンデータが実質的に検出されたことになるため、今回リモコン装置による新たな操作内容が検出されたと判定する。
【００６３】
ステップＳ５７に進むと、ＣＰＵは、操作内容検出レコードを生成し（ステップＳ５７）、ポインタＱ２の値で指定される今回リモコンデータファイルのレコードＤ（Ｑ２）のリーダ番号を生成レコードに記憶する（ステップＳ５８）。次に、レジスタＸ２に読み出した今回送信データを生成レコードに記憶し（ステップＳ５９）、件数カウンタＣの値を＋１し（ステップＳ６０）、生成レコードを操作内容検出ファイルのカウンタ（ポインタ）Ｃの値で指定されるレコードに格納する（ステップＳ６１）。これにより、リモコン装置による新たなリモコン操作を受信した無線リーダのリーダ番号と無線リーダの送信データが操作内容検出ファイルＲＭに格納される。ステップＳ６１を終えるとステップＳ６２に進む。
【００６４】
以上に述べた処理ルーチンを繰り返し、前回リモコンデータファイル並びに今回リモコンデータファイルの全レコードについてリモコン装置による新たな操作内容を検出し、操作内容検出ファイルＲＭを作成する（図２２参照）。そして、ステップＳ６２にて、リーダ番号が最終番号Ｎであると判定すると、即ち、ステップＳ６２を真と判定すると、当該サブルーチンを抜けてメインルーチンに戻り、ステップＳ０７の操作来歴データの記憶処理に移行する。
【００６５】
図１６は、第１実施形態において管理装置４のＣＰＵが実行する操作来歴ファイルデータの記憶処理のサブルーチンを示すフローチャートである。操作来歴ファイルデータの記憶処理を開始すると、まず、ＣＰＵは、件数カウンタＣの値が「０（操作内容検出なし）」であるか否かを判定する（ステップＳ７１）。件数カウンタＣの値が「０」である場合、前述の新たな操作内容の検出処理にてリモコン装置による新たな操作内容が１つも検出されなかったことになる。この場合は、ステップＳ７１を真と判定し、操作来歴ファイルデータの記憶処理を抜けてメインルーチンに戻る。したがって、操作来歴は検出されなかったのであるから、操作来歴は作成しない。
【００６６】
件数カウンタＣの値が「０」でない場合、前述の新たな操作内容の検出処理にて新たな操作内容が少なくとも１つは検出されたことになる。この場合は、ステップＳ７１を偽と判定しステップＳ７２に進む。ＣＰＵは、操作内容検出ファイルの読み出しレコードを指定するためのポインタＱ３に初期値「１」をセットし（ステップＳ７２）、ステップＳ７３に進み、ポインタＱ３の値で指定される操作内容検出ファイルのレコードＲＭ（Ｑ３）を読み出す（ステップＳ７３）。次いで、操作来歴レコードを生成し（ステップＳ７４）、現在の時刻を生成レコードに記憶する（ステップＳ７５）。次に、操作内容検出ファイルのレコードＲＭ（Ｑ３）のリーダ番号を遊技台の台番号として生成レコードに記憶する（ステップＳ７６）。なお、前述したように第１実施形態では、１台の遊技台に対して無線リーダを１つ設置してあるので、リーダ番号と遊技台の位置を表す台番号とは同じ番号としてそのまま用いる。
【００６７】
次に、ＩＤ／操作者名記憶テーブルを参照して、操作内容検出ファイルのレコードＲＭ（Ｑ３）の今回送信データのリモコンのＩＤ（送信データの３文字目〜５文字目まで）を操作者名に置き換えて生成レコードに記憶する（ステップＳ７７）。次いで、操作項目記憶テーブルを参照して、今回送信データの末尾の値（１、２、３の何れか）を操作項目名に置き換えて生成レコードに記憶する（ステップＳ７８）。そして、書き込みレコードを指定するポインタＫを＋１し（ステップＳ７９）、生成レコードをポインタＫの値で指定される操作来歴ファイルのレコードに格納する（ステップＳ８０）。なお、ポインタＫの初期値は、管理装置４の電源投入時に「０」とされているものとする。これにより、リモコン装置６により操作が行われると、操作が行われる毎に、現在時刻、操作対象の遊技台の台番号、リモコン操作を行った操作者名、操作項目名が操作来歴として操作来歴ファイルに時系列的に順次格納されていく。
【００６８】
ステップＳ８０を行うと、ステップＳ８１の制御動作処理を行う。図１７は、管理装置４のＣＰＵが実行する制御動作処理のサブルーチンを示すフローチャートである。まず、今回送信データの末尾の値が「１」であるか否か判定する。即ち、リモコン装置６による操作内容が「扉開放」であるか否かを判定する（ステップＢ０１）。今回送信データの末尾の値が「１」である場合、ステップＢ０１を真と判定し、台番号の遊技台に対して扉開放信号を出力し（ステップＢ０２）、制御動作処理のサブルーチンを抜けて操作来歴ファイルデータの記憶処理にリターンする。これにより、リモコン操作を行った台番号の遊技台において、従来周知の扉開閉機構が作動し、扉が開放される。
【００６９】
今回送信データの末尾の値が「１」でない場合、ステップＢ０１を偽と判定してステップＢ０３に進む。ステップＢ０３では、今回送信データの末尾の値が「２」であるか否か判定する。即ち、リモコン装置６による操作内容が「ラッキーナンバーである旨の店内放送」であるか否かを判定する（ステップＢ０３）。今回送信データの末尾の値が「２」である場合、ステップＢ０３を真と判定し、台番号が例えば、「Ｉ」である場合、「Ｉ番台、ラッキーナンバー、スタート」と音声合成で出力し（ステップＢ０４）、制御動作処理のサブルーチンを抜けて操作来歴ファイルデータの記憶処理にリターンする。従って、店内放送装置を通じて、店内の所定箇所に配置されたスピーカから「Ｉ番台、ラッキーナンバー、スタート」と店内放送される。
【００７０】
今回送信データの末尾の値が「２」でない場合、ステップＢ０３を偽と判定し、ステップＢ０５に進む。ステップＢ０５に進む場合は、今回送信データの末尾の値が「３」であることになる。ステップＢ０５では、台番号の遊技台に対して打止信号を出力し（ステップＢ０５）、制御動作処理のサブルーチンを抜けて操作来歴ファイルデータの記憶処理にリターンする。これにより、リモコン操作を行った台番号の遊技台において、従来周知の打止機構が作動して遊技台を遊技不可能（例えば、パチンコ遊技機へのパチンコ球の補給停止やパチンコ遊技機の打玉を発射する発射装置の作動停止等）とする打止となる。
【００７１】
制御動作処理のサブルーチンを抜けて操作来歴ファイルデータの記憶処理にリターンすると、ポインタＱ３の値を＋１し（ステップＳ８２）、ポインタＱ３の値が件数カウンタＣの値を超えているか否かを判定し（ステップＳ８３）、ポインタＱ３の値が件数カウンタＣの値を超えていなければ、ポインタＱ３の値で指定される操作内容検出ファイルの次のレコードを読み出す（ステップＳ７３）。以上に述べた処理ルーチンを繰り返し、作成した操作内容検出ファイルの全レコードについて、操作来歴を操作来歴ファイルに格納し、操作内容に対応した制御動作を実行する。そして、ステップＳ８３にて、ポインタＱ３の値が件数カウンタＣの値を超えたと判定すると、操作来歴ファイルデータの記憶処理を抜けてメインルーチンに戻る。
【００７２】
以上に説明した第１実施形態では、無線リーダ３、３、…は各遊技台２、２、…１台に対応して１つずつ設けられていたが、無線リーダの設置台数が遊技台の台数分必要となる。そこで、以下に説明する本発明の第２実施形態では、無線リーダ３の設置台数を減らすことを主目的としている。
【００７３】
図８は、第２実施形態の遊技設備の平面図であり、図９は、図８において遊技台に対してリモコン装置６によって行われたリモコン操作が各無線リーダによって受信された場合の送信データを示す図である。図８に示すように、無線リーダ３は、複数の遊技台２、２、…が１列に並設されてなる遊技設備において、遊技台１台おきに設置される。また、遊技設備の両端の遊技台に対しては無線リーダ３を設置するようにする。図８に示す具体例では、１番台〜５番台の５台で遊技設備が構成されており、遊技設備の両端となる遊技台、すなわち、１番台と５番台の遊技台に無線リーダ３（無線リーダＡ、無線リーダＥ）が設置され、１番台と５番台の遊技台に対して１台おきとなる３番台の遊技台に無線リーダ３（無線リーダＣ）が設置されている。したがって、１番台と３番台の遊技台の間の２番台の遊技台、３番台と５番台の遊技台の間の４番台の遊技台には、無線リーダ３は設置されていない。
【００７４】
上述の第２実施形態の遊技設備において、各遊技台に対してリモコン操作されるリモコン装置６からの送信データを無線リーダ３が受信するために、無線リーダ３は無線受信範囲（ＩＤ受信範囲）が広く設定されている。図８に示すように、無線リーダ３のＩＤ無線通信部１５は、自己の設置対象の遊技台に隣り合う遊技台に対してリモコン装置６がリモコン操作された場合に、このリモコン装置６から送られた送信データを無線受信可能に設定されている。例えば、３番台の遊技台に設置された無線リーダＣは、自己の設置対象の３番台の遊技台に対してリモコン装置６から送信された送信データを無線受信できるだけでなく、自己の設置対象の遊技台に隣り合う２番台の遊技台並びに４番台の遊技台に対してリモコン装置６から送られた送信データも無線受信可能に設定されている。
【００７５】
従って、無線リーダ３が受信する送信データは１つに限らず複数となる。また、例えば、図８〜図９では、無線リーダが設置されていない２番台の遊技台に対してリモコン装置６によるリモコン操作が行われた場合を示している。リモコン装置６から送られる送信データ「ＲＣ１００１」は、１番台の遊技台に対して設置された無線リーダＡと、３番台の遊技台に対して設置された無線リーダＣとにより、同時に受信される。つまり、無線リーダが設置されていない遊技台に対してリモコン装置６によるリモコン操作が行われた場合、両隣の遊技台に対して設置された無線リーダにより、同じ送信データが同時に受信される。なお、無線リーダが設置されている遊技台、例えば、図８の３番台の遊技台に対して、リモコン装置６によるリモコン操作が行われた場合、リモコン装置６から送られる送信データは、３番台の遊技台に設置された無線リーダＣのみによって受信される。
【００７６】
ここで、第２実施形態において、管理装置４において各無線リーダ３を識別するために用いるリーダ番号について説明する。図８に示すように、無線リーダ３が設置されている遊技台と設置されていない遊技台がある場合、無線リーダが設置されていない遊技台に後から無線リーダを設置しても管理がしやすいように、設置されている無線リーダのリーダ番号を遊技台の台番号に対応させ（台番号と同じ番号とし）、設置されていない遊技台分のリーダ番号を欠番としておく。図８の例では、リーダ番号「００１」、「００３」、「００５」の無線リーダは存在するが、リーダ番号「００２」、「００４」の無線リーダは存在せず、管理装置４の各処理においてリーダ番号「００２」、「００４」は欠番扱いとなる。
【００７７】
以上に述べた第２実施形態の無線リーダ３と管理装置４とによるリモコン装置６からの送信データに応じた各処理について説明する。第２実施形態において、無線リーダ３の制御部１６が実行する処理は、第１実施形態で説明した送信データ検知／送信処理（図１１参照）と同じである。
【００７８】
次に、第２実施形態において、管理装置４のＣＰＵが実行する無線リーダ３からのＩＤデータの送信に応じた処理について説明する。図２３は、第２実施形態において管理装置４の制御部のＣＰＵが実行する無線リーダ３からのＩＤデータ送信に応じた処理のメインルーチンを示すフローチャートである。当該処理のメインルーチンを開始すると、ＣＰＵは、まず、無線リーダとの通信タイミングであるか否かを判断する（ステップＳ１０１）。ここで、無線リーダとの通信タイミングとは、予め設定された通信タイミングであり、無線リーダ３が送信データを６秒毎に受信していることに基づき、例えば、０．５秒毎に定められているものとする。無線リーダとの通信タイミングでなければ、ステップＳ１０１を偽と判定する処理を繰り返す。
【００７９】
一方、無線リーダとの通信タイミングである場合、ＣＰＵは、ステップＳ１０１を真と判定し、全無線リーダとの通信処理を行い（ステップＳ１０２）、全無線リーダから送信されたＩＤデータをリーダ番号毎に記憶する。次いで、ＣＰＵは、今回リモコンデータＤ（１）〜Ｄ（Ｎ）を前回リモコンデータＢ（１）〜Ｂ（Ｎ）に転送し（ステップＳ１０３）（図２０〜図２１参照）、今回リモコンデータＤ（１）〜Ｄ（Ｎ）を０クリアする（ステップＳ１０４）。次に、ＣＰＵはリモコンのデータ検出処理を行い（ステップＳ１０５）、受信データファイルにおけるＩＤデータからリモコン装置６による送信データを順に検出して今回リモコンデータＤ（１）〜Ｄ（Ｎ）を作成する（図２１参照）。次に、新たな操作内容の検出処理を行い（ステップＳ１０６）、新たにリモコン装置６によって行われた操作を検出し、ステップＳ１０７に進む。
【００８０】
ステップＳ１０７にて、位置検出処理を行い（ステップＳ１０７）、新たな操作内容の検出処理で作成された操作内容検出ファイルＲＭの各データから、無線リーダによって受信されたリモコン装置の送信データはどの遊技台に対して行われたのかを特定し、データに記憶する。次に、操作来歴ファイルデータの記憶処理を行い、現在時刻、リモコン操作対象となった遊技台の位置を特定するために定められた台番号、リモコン装置６のＩＤ、操作内容を１つのレコードとして操作来歴ファイルに格納し、リモコン装置６の操作スイッチのオンオフ状態を判定し、判定結果の別に従って、特定された台番号の遊技台に対し予め定められた制御動作を実行する（ステップＳ１０８）。例えば、操作内容が「２」であれば、「何番台、ラッキーナンバー、スタート」と音声合成で、店内放送する。操作来歴ファイルデータの記憶処理を終えるとステップＳ１０１に戻る。ＣＰＵは、以上に述べた処理ルーチンを繰り返す。
【００８１】
図２４は、第２実施形態において管理装置４のＣＰＵが実行する全無線リーダとの通信処理のサブルーチンを示すフローチャートである。なお、全無線リーダとの通信処理は、管理装置４がポーリングにて、各無線リーダが受信して記憶したＩＤデータを受信し、リーダ番号に対応付けしてＩＤデータを受信データファイルに格納する処理である。全無線リーダとの通信処理を開始すると、まず、ＣＰＵは、無線リーダを指定するためにリーダ番号レジスタＲ１に無線リーダの先頭のリーダ番号をセットする（ステップＳ１０１）。
【００８２】
先に述べたように、第２実施形態においては、遊技台に対して設置されている無線リーダのリーダ番号を遊技台の台番号に対応させ（リーダ番号を台番号と同じ番号とし）、設置されていない遊技台分のリーダ番号を欠番としてある。したがって、遊技台の台番号を無線リーダのリーダ番号としてそのまま用いる。なお、本実施形態では、無線リーダに付与されたリーダ番号は１番（台番号００１）〜Ｎ番（台番号Ｎ）まであるものとする。なお、本実施形態ではリーダ番号の先頭番号は「００１」である。
【００８３】
次いで、ＣＰＵは、無線リーダのリーダ番号と受信したＩＤデータの書き込みレコードを指定するためのポインタＱ１に初期値「１」をセットし（ステップＳ１０２）、ステップＳ１０３に進む。ステップＳ１０３に進むと、ＣＰＵは、通信相手の無線リーダからＩＤデータが送信されてくるまでの待ち時間を計時するためのタイマをリセットしてスタートさせ（ステップＳ１０３）、リーダ番号レジスタＲ１に記憶したリーダ番号の無線リーダにＩＤ送信要求指令を出力し（ステップＳ１０４）、Ｒ１番の無線リーダから送信データ（ＩＤデータ）が送られてきたか否かを判定する（ステップＳ１０５）。
【００８４】
ＣＰＵは、Ｒ１番の無線リーダからＩＤデータが送られてこない場合、ステップＳ１０５を偽と判定し、タイマが計時する待ち時間によるタイムオーバーを監視し（ステップＳ１０６）、待ち時間によるタイムオーバーとならないうちはステップＳ１０６を偽と判定してステップＳ１０４に戻る。従って、待ち時間によるタイムオーバーとならないうちはステップＳ１０４、ステップＳ１０５を偽と判定、ステップＳ１０６を偽と判定する処理ルーチンを繰り返す。なお、ステップＳ１０６による待ち時間によるタイムオーバーの判定処理は、欠番となっている存在しない無線リーダにＩＤ送信要求指令を出力した場合の判断のためである。
【００８５】
待ち時間によるタイムオーバーとならないうちに、ＩＤ送信要求指令に応じてＲ１番の無線リーダから送信データが送られてくると、ＣＰＵは、ステップＳ１０５を真と判定し、ステップＳ１０７に進み、送られて来たＩＤデータを受信し（ステップＳ１０７）、ステップＳ１０８にて、受信データレコードを生成する（ステップＳ１０８）。次いで、受信したＩＤデータを生成レコードに記憶し（ステップＳ１０９）、リーダ番号レジスタＲ１に記憶されたリーダ番号を生成レコードに記憶し（ステップＳ１１０）、生成レコードを受信データファイルＪＤのポインタＱ１の値で指定されるレコードに格納し（ステップＳ１１１）、ステップＳ１１２に進み、リーダ番号と受信したＩＤデータの書き込みレコードを指定するポインタＱ１の値を＋１し（ステップＳ１１２）、ステップＳ１１３に進む。
【００８６】
ステップＳ１１３に進むと、リーダ番号レジスタＲ１に記憶されたリーダ番号を１つアップする（ステップＳ１１３）。次いで、更新アップしたリーダ番号レジスタＲ１のリーダ番号が無線リーダの最終番号（この実施形態ではＮ）を超えたか否かを判定し（ステップＳ１１４）、リーダ番号レジスタＲ１のリーダ番号が最終番号Ｎを超えていなければ、ステップＳ１０３に戻り、更新アップしたリーダ番号で指定される次の無線リーダに対して、上記と同様の処理を行う。
【００８７】
ところで、欠番となっている存在しない無線リーダにＩＤ送信要求指令を出力した場合、例えば、図８に示す例では、２番台の遊技台には無線リーダ３は設置されていないが、更新アップしたリーダ番号レジスタＲ１のリーダ番号が「００２」であると、実際には存在しないリーダ番号「００２」の無線リーダにＩＤ送信要求指令を出力し（ステップＳ１０４）、「００２」の無線リーダから送信データ（ＩＤデータ）が送られてきたか否かを判定することになる（ステップＳ１０５）。この場合は、送信データ（ＩＤデータ）は送られてこないので、タイマによって計時される待ち時間がタイムオーバーとなる。タイムオーバーとなる場合、ＣＰＵは、ステップＳ１０６を真と判定し、ステップＳ１１３にジャンプし、リーダ番号レジスタＲ１に記憶されたリーダ番号を１つアップする（ステップＳ１１３）。
【００８８】
ＣＰＵは、以上の処理ルーチンを繰り返すことで、先頭番号（００１）から最終番号（Ｎ番）までのＩＤデータを順次受信して記憶していく。リーダ番号レジスタＲ１のリーダ番号が最終番号Ｎを超えると、ステップＳ１１４を真と判定し、当該サブルーチンを抜けて図２３のメインルーチンに戻り、ステップＳ１０３、ステップＳ１０４の処理を実行し、ステップＳ１０５のリモコンのデータ検出処理に移行する。
【００８９】
第２実施形態では、無線リーダが設置されている遊技台は、「００１」、「００３」、「００５」、・・・Ｎ（但し、Ｎは奇数）のように、台番号が奇数番号の遊技台に対して設置されており、台番号が偶数番号の遊技台に対しては無線リーダは設置されていないため、偶数番号の遊技台分のリーダ番号を欠番としてある。したがって、全無線リーダとの通信処理によって作成される受信データファイルの受信データは、リーダ番号が奇数番号のものについてのみとなる。
【００９０】
第２実施形態において、管理装置４のＣＰＵが実行するリモコンのデータ検出処理は、第１実施形態で説明したリモコンのデータ検出処理（図１４参照）と同じであるため説明を省略する。第１実施形態と同様に、リモコンのデータ検出処理を行うことで、受信データファイルにおけるＩＤデータからリモコン装置６による送信データを順に検出して今回リモコンデータＤ（１）〜Ｄ（Ｎ）を作成する（図２１参照）。
【００９１】
また、第２実施形態において、管理装置４のＣＰＵが実行する新たな操作内容の検出処理は、第１実施形態で説明した新たな操作内容の検出処理（図１５参照）と同じであるため説明を省略する。第１実施形態と同様に、新たな操作内容の検出処理を行うことで、新たにリモコン装置６によって行われた操作を検出して操作内容検出ファイルＲＭを作成する。
【００９２】
第２実施形態においては、図８〜図９に示したように、無線リーダが設置されていない偶数番台の遊技台に対してリモコン装置６によるリモコン操作が行われた場合、操作対象の遊技台の両隣の遊技台（ともに奇数番台であり、両者の番号の差が２となる）に対して設置された無線リーダにより、同じ送信データが同時に受信される。従って、新たな操作内容の検出処理で作成された操作内容検出ファイルＲＭには、連続する２つのデータについて、両者のリーダ番号の差が２であり、送信データが同じとなるデータが存在する場合がある。
【００９３】
図２５において、第２実施形態において新たな操作内容の検出処理で作成された操作内容検出ファイルＲＭの内容の一例を示している。図２５では、操作内容検出ファイルに５件のデータが作成されたことを示している。即ち、件数カウンタＣの値が「５」である。また、リーダ番号「００１」と「００３」とが送信データが「ＲＣ１００１」であって同じであることが示されている（図９参照）。同じように、リーダ番号「０２１」と「０２３」とが送信データが「ＲＣ１０２３」であって同じであることが示されている。さらに、リーダ番号「００９」は、送信データが「ＲＣ１０１２」であって、送信データが「ＲＣ１０１２」であるデータは１つしか存在しないことが示されている。
【００９４】
図２６乃至図２７は、第２実施形態において管理装置４のＣＰＵが実行する位置検出処理のサブルーチンを示すフローチャートである。位置検出処理を開始すると、まず、ＣＰＵは、件数カウンタＣの値が「０（操作内容検出なし）」であるか否かを判定する（ステップＳ１２１）。件数カウンタＣの値が「０」である場合、前述の新たな操作内容の検出処理にてリモコン装置による新たな操作内容が１つも検出されなかったことになる。この場合は、ステップＳ１２１を真と判定し、操作来歴ファイルデータの記憶処理を抜けてメインルーチンに戻る。
【００９５】
件数カウンタＣの値が「０」でない場合、前述の新たな操作内容の検出処理にてリモコン装置による新たな操作内容が少なくとも１つは検出されたことになる。この場合は、ステップＳ１２１を偽と判定しステップＳ１２２に進む。ＣＰＵは、操作内容位置検出ファイルＲＤの件数をカウントするカウンタであって、操作内容位置検出ファイルＲＤの書き込みレコードを指定するためのポインタを兼ねる件数カウンタＣ１を０クリアし（ステップＳ１２２）、操作内容検出ファイルＲＭの読み出しレコードを指定するためのポインタＱ３に初期値「１」をセットし（ステップＳ１２３）、ステップＳ１２４に進み、ポインタＱ３の値で指定される操作内容検出ファイルのレコードＲＭ（Ｑ３）を読み出す（ステップＳ１２４）。
【００９６】
次いで、ＣＰＵは、操作内容検出ファイルのレコードＲＭ（Ｑ３）のリーダ番号を台番号レジスタＤＢに記憶し（ステップＳ１２５）、操作内容検出ファイルのレコードＲＭ（Ｑ３）の送信データ（例えば、「ＲＣ１００１」）をレジスタＳＤ１に記憶する（ステップＳ１２６）。次に、ＣＰＵは、ポインタＱ３の値を＋１し（ステップＳ１２７）、ポインタＱ３の値が件数カウンタＣの値を超えているか否かを判定する（ステップＳ１２８）。ポインタＱ３の値が件数カウンタＣの値を超えていなければ、操作内容検出ファイルの次のデータが存在することになる。
【００９７】
ポインタＱ３の値が件数カウンタＣの値を超えていなければ、ＣＰＵは、ステップＳ１２８を偽と判定し、ポインタＱ３の値で指定される操作内容検出ファイルの次のレコードを読み出す（ステップＳ１２９）。そして、操作内容検出ファイルの次のレコードＲＭ（Ｑ３）の送信データをレジスタＳＤ２に記憶する（ステップＳ１３０）。次に、レジスタＳＤ１に記憶されている送信データとレジスタＳＤ２に記憶されている送信データとが同じであるか否かを判定する（ステップＳ１３１）。すなわち、操作内容検出ファイルＲＭの記憶順が連続する２つのデータについて、送信データが同じであるか否かを判定するのである。
【００９８】
ステップＳ１３１にて、レジスタＳＤ１に記憶されている送信データとレジスタＳＤ２に記憶されている送信データとが同じである場合、ステップＳ１３１を真と判定し、ステップＳ１３２に進み、操作内容検出ファイルの次のレコードＲＭ（Ｑ３）のリーダ番号を台番号レジスタＤＢに記憶されているリーダ番号に加算する（ステップＳ１３２）。例えば、図２５において、ポインタＱ３＝１で指定されるレコードと、ポインタＱ３＝２で指定されるレコードとは、送信データが同じ「ＲＣ１００１」であるから、ポインタＱ３＝１で指定されるレコードのリーダ番号「００１」にポインタＱ３＝２で指定されるレコードのリーダ番号「００３」が加算される。この結果、台番号レジスタＤＢの内容は加算結果が記憶される。上記の例の場合、台番号レジスタＤＢには加算結果「００４」が記憶される。次いで、台番号レジスタＤＢの内容を２で割り、この結果を台番号レジスタＤＢに格納する（ステップＳ１３３）。そして、ステップＳ１３４に進む。上記の例の場合、台番号レジスタＤＢには、「００４」を２で割った結果「００２」が記憶される。
【００９９】
図２５において、位置検出処理を行った結果作成された操作内容位置検出ファイルの一例を示している。このように、操作内容検出ファイルＲＭの記憶順が連続する２つのデータについて、送信データが同じである場合、２つの無線リーダの各々の設置対象の遊技台の設置位置の中間位置に相当する遊技台に対してリモコン操作が行われたと判定し、中間位置に相当する遊技台の台番号とするのである。上記の例の場合、リーダ番号「００１」の無線リーダとリーダ番号「００３」の無線リーダとから同じ送信データ「ＲＣ１００１」が送信されたので、中間位置に相当する台番号「００２」の遊技台に対してリモコン操作が行われたと判定し、台番号「００２」の遊技台に対して送信データ「ＲＣ１００１」が操作されたと見なすのである。同様に、リーダ番号「０２１」の無線リーダとリーダ番号「０２３」の無線リーダとから同じ送信データ「ＲＣ１０２３」が送信されたので、中間位置に相当する台番号「０２２」の遊技台に対してリモコン操作が行われたと判定し、台番号「０２２」の遊技台に対して送信データ「ＲＣ１０２３」が操作されたと見なす。このように、遊技台１台毎に無線リーダを１つ設置しなくてもよく、遊技台に対して設置する無線リーダの設置台数を削減することができる。
【０１００】
ステップＳ１３４に進むと、ＣＰＵは、操作内容位置検出レコードを生成し（ステップＳ１３４）、台番号レジスタＤＢの内容を台番号として生成レコードに記憶し（ステップＳ１３５）、レジスタＳＤ１に記憶されている送信データを生成レコードに記憶し（ステップＳ１３６）、件数カウンタＣ１の値を＋１し（ステップＳ１３７）、生成レコードを件数カウンタＣ１の値で指定される操作内容位置検出ファイルのレコードＲＤ（Ｃ１）に格納する（ステップＳ１３８）。次いで、ポインタＱ３の値を＋１し（ステップＳ１３９）、ポインタＱ３の値が件数カウンタＣの値を超えているか否かを判定する（ステップＳ１４０）。ポインタＱ３の値が件数カウンタＣの値を超えていなければ、ステップＳ１４０を偽と判定し、ステップＳ１２４に戻る。
【０１０１】
一方、ステップＳ１３１にて、レジスタＳＤ１に記憶されている送信データとレジスタＳＤ２に記憶されている送信データとが同じでない場合、ステップＳ１３１を偽と判定し、直接ステップＳ１３４にジャンプする。
【０１０２】
また、ステップＳ１２８において、ポインタＱ３の値が件数カウンタＣを超えている場合、操作内容検出ファイルの次のデータは存在しないことになる。この場合にも、ステップＳ１２８を真と判定し、ステップＳ１３４に直接ジャンプする。
【０１０３】
ステップＳ１３１を偽と判定する場合、並びにステップＳ１２８を真と判定する場合は、台番号レジスタＤＢに記憶されているリーダ番号がそのまま台番号として生成レコードに記憶される。
【０１０４】
以上の処理ルーチンを繰り返すことで、操作内容検出ファイルＲＭの全レコードについて連続するレコードにおいて送信データが同じであるか否かの判定と、操作内容位置検出ファイルＲＤのレコードの作成を行うと、ステップＳ１４０にて、ポインタＱ３の値が件数カウンタＣの値を超える。ＣＰＵは、ポインタＱ３の値が件数カウンタＣの値を超えると、ステップＳ１４０を真と判定し、位置検出処理を抜けてメインルーチンに戻り、操作来歴ファイルデータの記憶処理に進む。
【０１０５】
図２８は、第２実施形態において管理装置４のＣＰＵが実行する操作来歴ファイルデータの記憶処理のサブルーチンを示すフローチャートである。操作来歴ファイルデータの記憶処理を開始すると、まず、ＣＰＵは、件数カウンタＣ１の値が「０（操作内容検出なし）」であるか否かを判定する（ステップＳ１５１）。件数カウンタＣ１の値が「０」である場合、前述の位置検出処理にて操作内容位置検出ファイルＲＤのデータが１つも作成されなかったことになる。すなわち、リモコン装置による新たな操作内容が１つも存在しないことになる。この場合は、ステップＳ１５１を真と判定し、操作来歴ファイルデータの記憶処理を抜けてメインルーチンに戻る。
【０１０６】
件数カウンタＣ１の値が「０」でない場合、前述の位置検出処理にて操作内容位置検出ファイルＲＤのデータが少なくとも１つは作成されたことになる。この場合は、ステップＳ１５１を偽と判定しステップＳ１５２に進む。ＣＰＵは、操作内容位置検出ファイルＲＤの読み出しレコードを指定するためのポインタＱ４に初期値「１」をセットし（ステップＳ１５２）、ステップＳ１５３に進み、ポインタＱ４の値で指定される操作内容位置検出ファイルのレコードＲＤ（Ｑ４）を読み出す（ステップＳ１５３）。次いで、操作来歴レコードを生成し（ステップＳ１５４）、現在の時刻を生成レコードに記憶する（ステップＳ１５５）。次に、操作内容検出ファイルのレコードＲＤ（Ｑ４）の台番号を生成レコードに記憶する（ステップＳ１５６）。
【０１０７】
次に、ＩＤ／操作者名記憶テーブルを参照して、操作内容位置検出ファイルのレコードＲＤ（Ｑ４）の今回送信データのリモコンのＩＤ（送信データの３文字目〜５文字目まで）を操作者名に置き換えて生成レコードに記憶する（ステップＳ１５７）。次いで、操作項目記憶テーブルを参照して、今回送信データの末尾の値（１、２、３の何れか）を操作項目名に置き換えて生成レコードに記憶する（ステップＳ１５８）。そして、書き込みレコードを指定するポインタＫを＋１し（ステップＳ１５９）、生成レコードをポインタＫの値で指定される操作来歴ファイルのレコードに格納する（ステップＳ１６０）。なお、ポインタＫの初期値は、管理装置４の電源投入時に「０」とされているものとする。これにより、リモコン装置６により操作が行われると、操作が行われる毎に、現在時刻、操作対象の遊技台の台番号、リモコン操作を行った操作者名、操作項目名が操作来歴として操作来歴ファイルに時系列的に順次格納されていく。ステップＳ１６０を行うと、ステップＳ１６１の制御動作処理を行う。制御動作処理は、先に説明した第１実施形態と同様であり、ここでの説明は省くこととする。
【０１０８】
制御動作処理のサブルーチンを抜けて操作来歴ファイルデータの記憶処理にリターンすると、ポインタＱ４の値を＋１し（ステップＳ１６２）、ポインタＱ４の値が件数カウンタＣ１の値を超えているか否かを判定し（ステップＳ１６３）、ポインタＱ４の値が件数カウンタＣ１の値を超えていなければ、ポインタＱ４の値で指定される操作内容位置検出ファイルの次のレコードを読み出す（ステップＳ１５３）。以上に述べた処理ルーチンを繰り返し、作成した操作内容位置検出ファイルＲＤの全レコードについて、操作来歴を操作来歴ファイルに格納し、操作内容に対応した制御動作を実行する。そして、ステップＳ１６３にて、ポインタＱ４の値が件数カウンタＣ１の値を超えたと判定すると、操作来歴ファイルデータの記憶処理を抜けてメインルーチンに戻る。
【図面の簡単な説明】
【０１０９】
【図１】本発明の実施形態に係る遊技場の情報管理装置の要部ブロック図である。
【図２】管理装置のメモリに設けられたＩＤ／操作者名記憶テーブルの一態様を示す図である。
【図３】管理装置のメモリに設けられた操作項目記憶テーブルの一態様を示す図である。
【図４】管理装置のメモリに作成される操作来歴ファイルを示す図である。
【図５】リモコン装置に設けられたＩＤタグ及び遊技台に設けられた無線リーダのブロック図である。
【図６】各遊技台に無線リーダを１つずつ設置した第１実施形態の遊技設備の平面図である。
【図７】図６において遊技台に対応して設置された各無線リーダによって受信された送信データを示す図である。
【図８】各遊技台に対して無線リーダを１台おきに設置した第２実施形態の遊技設備の平面図である。
【図９】図８において遊技台に対応して設置された各無線リーダによって受信された送信データを示す図である。
【図１０】無線リーダの記憶部に設定されている送信データの記憶部を示す図である。
【図１１】第１実施形態において無線リーダの制御部が実行する送信データ検知／送信処理のフローチャートである。
【図１２】第１実施形態において管理装置の制御部のＣＰＵが実行する無線リーダからのＩＤデータ送信に応じた処理のメインルーチンを示すフローチャートである。
【図１３】第１実施形態において管理装置のＣＰＵが実行する全無線リーダとの通信処理のサブルーチンを示すフローチャートである。
【図１４】第１実施形態において管理装置のＣＰＵが実行するリモコンのデータ検出処理のサブルーチンを示すフローチャートである。
【図１５】実施形態において管理装置のＣＰＵが実行する新たな操作内容の検出処理のサブルーチンを示すフローチャートである。
【図１６】実施形態において管理装置のＣＰＵが実行する操作来歴ファイルデータの記憶処理のサブルーチンを示すフローチャートである。
【図１７】実施形態において管理装置のＣＰＵが実行する制御動作処理のサブルーチンを示すフローチャートである。
【図１８】無線リーダから管理装置に送信されるＩＤデータを送信するための送信バッファの内容を示す図である。
【図１９】実施形態における無線リーダとの通信処理において管理装置に作成される受信データファイルの記憶内容を示す図である。
【図２０】実施形態における前回リモコンデータファイルＤの記憶内容を示す図である。
【図２１】実施形態における今回リモコンデータファイルＤの記憶内容を示す図である。
【図２２】実施形態における操作内容検出ファイルＲＭの記憶内容を示す図である。
【図２３】第２実施形態において管理装置の制御部のＣＰＵが実行する無線リーダからのＩＤデータ送信に応じた処理のメインルーチンを示すフローチャートである。
【図２４】第２実施形態において管理装置のＣＰＵが実行する全無線リーダとの通信処理のサブルーチンを示すフローチャートである。
【図２５】第２実施形態において位置検出処理によって操作内容検出ファイルから作成される操作内容位置検出ファイルの具体例を示す図である。
【図２６】第２実施形態において管理装置のＣＰＵが実行する位置検出処理のサブルーチンを示すフローチャートである。
【図２７】図２６のフローチャートのつづきである。
【図２８】第２実施形態において管理装置のＣＰＵが実行する操作来歴ファイルデータの記憶処理のサブルーチンを示すフローチャートである。
【符号の説明】
【０１１０】
１  情報管理装置
２  遊技台
３  無線リーダ
４  管理装置
５  伝送路
６  遠隔操作装置（リモコン装置）
７  ＩＤタグ（ＲＦＩＤ）
７′  ＩＤタグ
８  操作スイッチ
９  アンテナ
１０  無線通信部
１１  電源部
１２  制御部
１３  記憶部
１４  アンテナ
１５  無線通信部
１６  制御部
１７  記憶部
１８  有線通信部
１９  電源部
【図１】
2006095183.tif 000003
【図２】
2006095183.tif 000004
【図３】
2006095183.tif 000005
【図４】
2006095183.tif 000006
【図５】
2006095183.tif 000007
【図６】
2006095183.tif 000008
【図７】
2006095183.tif 000009
【図８】
2006095183.tif 000010
【図９】
2006095183.tif 000011
【図１０】
2006095183.tif 000012
【図１１】
2006095183.tif 000013
【図１２】
2006095183.tif 000014
【図１３】
2006095183.tif 000015
【図１４】
2006095183.tif 000016
【図１５】
2006095183.tif 000017
【図１６】
2006095183.tif 000018
【図１７】
2006095183.tif 000019
【図１８】
2006095183.tif 000020
【図１９】
2006095183.tif 000021
【図２０】
2006095183.tif 000022
【図２１】
2006095183.tif 000023
【図２２】
2006095183.tif 000024
【図２３】
2006095183.tif 000025
【図２４】
2006095183.tif 000026
【図２５】
2006095183.tif 000027
【図２６】
2006095183.tif 000028
【図２７】
2006095183.tif 000029
【図２８】
2006095183.tif 000030